(57)【要約】【解決手段】内燃機関用の噴射装置１の制御弁８のために、制御ピストン９が提案され、この制御ピストンは、両方のストローク方向において、即ち開放および閉鎖された状態において、達せられるべき圧力バランスを顧慮して、制御ピストン９内において軸線方向に摺動可能に案内された支持ピストン２５を備えており、この支持ピストンが、制御弁８の、３／２路方向制御弁としての実施形態のために、２つの管路接続部の結合部内において位置する制御摺動体を形成する。
2004509282.tif 000002
【特許請求の範囲】
【請求項１】
内燃機関の、特に蓄圧噴射装置でもって作動し、且つディーゼル油または重油でもって運転される内燃機関の、噴射装置のための制御弁であって、この制御弁が、
案内穿孔内において、摺動可能な制御ピストンを有し、
この制御ピストンが、封隙エッジ部でもって、２つの管路接続部の間の通過結合を制御し、且つ、この制御ピストン自体で、同軸の収容穿孔部内において位置する、支持ピストンのための案内部を形成し、
この支持ピストンが、一方の側で、ストッパーに対して支持されており、
このストッパーに対してこの制御ピストンが摺動可能であり、
他方の側で、この収容穿孔部内において、通過結合と接続された支持チャンバーを画成する様式の上記制御弁において、
支持ピストン（２５）が、３／２路方向制御弁としての制御弁の機能のために、制御摺動体を形成し、この制御摺動体が、支持チャンバー（３４）と更に別の管路接続部（１４）との間の結合を制御するように構成されていることを特徴とする制御弁。
【請求項２】
支持ピストン（２５）は、封隙エッジ部（３３）を担持する制御ピストン（９）の領域に設けられていることを特徴とする請求項１に記載の制御弁。
【請求項３】
支持ピストン（２５）を収容する、制御ピストン（９）の領域は、封隙エッジ部（３３）に関して向かい合って位置する制御ピストン（９）の案内領域よりもより大きな直径を有しているように構成されていることを特徴とする請求項２に記載の制御弁。
【請求項４】
制御ピストン（９）は、この制御ピストンの、直径において拡大された、封隙エッジ部（３３）と接続する領域において、通過結合部の部分としての弁チャンバー（３２）によって囲繞されていることを特徴とする請求項２または３に記載の制御弁。
【請求項５】
弁チャンバー（３２）には、管路接続部（１３）および支持チャンバー（３４）への結合部が設けられていることを特徴とする請求項４に記載の制御弁。
【請求項６】
制御ピストン（９）には、案内領域において、直径において減少された環状領域（環状室３１）が設けられていることを特徴とする請求項４または５に記載の制御弁。
【請求項７】
直径において減少された環状領域（環状室３１）には、管路接続部（１２）が設けられていることを特徴とする請求項６に記載の制御弁。
【請求項８】
環状室（３１）は、封隙エッジ部（３３）と隣接して配置されていることを特徴とする請求項６または７に記載の制御弁。
【請求項９】
支持ピストン（２５）は、この支持ピストンの、制御ピストン（９）内へと走入された状態において、弁チャンバー（３２）と更に別の管路接続部（１４）との間の結合を遮断制御するように構成されていることを特徴とする請求項１から８のいずれか一つに記載の制御弁。
【請求項１０】
更に別の管路接続部（１４）への、支持ピストン（２５）を介して延びる結合部は、絞り区間を形成することを特徴とする請求項９に記載の制御弁。
【請求項１１】
支持ピストン（２５）と収容穿孔部（２４）との間の封隙境界は、この収容穿孔部（２４）の座（座面３７）に所属して設けられた、この支持ピストン（２５）の封隙面（３６）によって形成されていることを特徴とする請求項９または１０に記載の制御弁。
【請求項１２】
支持ピストン（２５）の封隙面（３６）は、円錐形に形成されていることを特徴とする請求項１１に記載の制御弁。
【請求項１３】
収容穿孔部（２４）の座面（３７）は、円錐形に形成されていることを特徴とする請求項１１または１２に記載の制御弁。
【請求項１４】
支持ピストン（２５）と収容穿孔部（２４）との間の封隙境界（封隙面３６、座面３７）には、環状室（支持チャンバー３４）が設けられており、この環状室が、軸線方向に離間して設けられた環状管路（３９）と共に、更に別の管路接続部（１４）への、この支持ピストン（２５）と制御ピストン（９）との間の移行部において位置していることを特徴とする請求項１１から１３のいずれか一つに記載の制御弁。
【請求項１５】
環状管路（３９）は、半径方向の結合穿孔（４０）への軸線方向の重なり合い領域において位置していることを特徴とする請求項１４に記載の制御弁。
【請求項１６】
制御ピストン（９）および支持ピストン（２５）を経て延びる結合部の自由な溢流断面積は、ストロークに依存して変化可能であるように構成されていることを特徴とする請求項１１から１５のいずれか一つに記載の制御弁。
【請求項１７】
噴射装置の、噴射ノズル（２）へと案内する管路接続部（１３）と、高圧側の管路接続部（１２）の結合は、制御ピストン（９）の封隙エッジ部（３３）を介して行うこと、および、
更に別の管路接続部（１４）が、還流接続部を形成することを特徴とする請求項１から１６のいずれか一つに記載の制御弁。
【請求項１８】
還流接続部（１４）は圧力室（６）と接続されており、この圧力室が、噴射ノズル（２）のノズルニードル（３）の背面側に、この圧力室（６）内において残留する圧力が、このノズルニードル（３）を閉鎖方向で付勢をかけるように設けられていることを特徴とする請求項１７に記載の制御弁。
【発明の詳細な説明】
【０００１】
本発明は、内燃機関の、特に蓄圧噴射装置でもって作動し、且つディーゼル油または重油でもって運転される内燃機関の、噴射装置のための制御弁に関する。
【０００２】
蓄圧噴射装置を有し、且つ、噴射ノズル、およびこの噴射ノズルに設けられた、アクチュエータを介して負荷された制御弁を有する、内燃機関のための噴射装置は、ヨーロッパ特許出願公開６５７　６４２　Ａ２号明細書から公知である。この制御弁は、圧力貯蔵部、噴射ノズル、および還流部への接続結合部を有しており、且つ、３／２路方向制御弁の機能状態において、切替え位置に依存して、噴射ノズルを圧力貯蔵部、または還流部と結合し、並びに、両方の切替え位置の間の移行段階において、噴射ノズル、圧力貯蔵部および還流部と結合している。この噴射ノズルのノズルニードルは、噴射媒体でもっての圧力側の負荷によってこのノズルニードルの開放位置の方向に向けて、および、還流側の負荷によってこのノズルニードルの閉鎖位置の方向に向けて付勢されており、且つ、このノズルニードルが、圧力貯蔵部と噴射ノズルとの間の接続結合部が切替えられた際に開放する。還流側の負荷の際、還流側で与えられた圧力を介して、閉鎖ばねを介してこのノズルニードル上に作用する閉鎖力は、圧力に依存して増強され、且つ、このノズルニードルが、このことによって、このノズルニードルが、噴射ノズルへの圧力貯蔵部の結合の、および従って、還流への遮断制御（ａｂｇｅｓｔｅｕｅｒｔｅｒ）された結合の切換えの際に、このばねの閉鎖力とは逆の圧力側の負荷によって、座から解離された開放位置へと押圧されない限り、このノズルニードルの閉鎖位置において保持される。この制御弁は、この公知の解決策において、この制御弁の圧力作用面に関連して、この制御弁が、両方のストローク方向において、即ち開放された状態、および閉鎖された状態において圧力バランス（ｄｒｕｃｋａｕｓｇｅｇｌｉｃｈｅｎ）されており、従って、アクチュエータによって付与されるべき力を介して、単に、このノズルニードルをこのノズルニードルの閉鎖位置の方向に向けて付勢するばね力が克服され得るだけであるように寸法設定されている。
【０００３】
その他になお、請求項１の上位概念による噴射装置のための制御弁が、実務から公知であり、これら噴射装置の制御ピストンは、２つの管路接続部の間の通過結合部を、２／２路方向制御弁の様式で制御し、且つ、両方のストローク方向、即ち開放された状態および閉鎖された状態における圧力バランスを顧慮して、支持ピストンを備えており、この支持ピストンが、制御ピストンに対して同軸の、この制御ピストン自体の収容穿孔部内において位置しており、且つストッパーに抗して支持されており、この支持ピストンに対してこの制御ピストンが摺動可能である。この収容穿孔部内において、この支持ピストンは、これら管路接続部の通過結合部と接続された支持チャンバーを画成しており、従って、チャンバー圧力が、制御ピストンおよび支持ピストンを、互いに離反する方向で負荷し、且つ、この支持ピストン、もしくは収容穿孔部の断面を介して、制御ピストン側で与えられる圧力作用面内における相違がバランスされ得る。
【０００４】
従って、本発明の根底をなす課題は、冒頭に記載した様式の制御弁を、更に別の管路接続部が制御され得るように形成することである。
【０００５】
この課題は、本発明に従い、請求項１の特徴によって、詳しく言うとつまり制御摺動体としての支持ピストンの使用によって達成され、その際、この支持ピストンが、支持チャンバーと、１つの更に別の管路接続部との間の結合を制御し、従って、制御弁のために、３／２路方向制御弁の機能が与えられ、この３／２路方向制御弁が、この支持ピストンを介しての圧力作用面の平衡（Ａｂｇｌｅｉｃｈｓ）の可能性によって、この制御摺動体としての支持ピストンの同時の使用の際に、制御ピストンの形態に関連する構造的な自由性を拡大する。
【０００６】
本発明の範囲内において、支持ピストンを収容する制御ピストンの領域を、封隙エッジ部を担持するこの制御ピストンの領域に設けることは、合目的であることは明らかであり、この制御ピストン９が、合目的に、複数の管路接続部の間の通過結合部の部分としての弁チャンバーによって囲繞されており、従って、短い結合道程が実現され得ると同様に、合目的な接続部の形態が支持チャンバーに実現され得る。
【０００７】
封隙エッジ部に関して、弁チャンバーが、向かい合って位置するように制御ピストンを介して、更に別の環状室を画成し、この環状室が、有利には、直径において減少されたこの制御ピストンの領域によって形成されており、且つこの環状室に、１つの管路接続部が設けられており、従って、２つの管路接続部が、封隙エッジ部を介して制御されており、且つ、第３の管路接続部が、制御摺動体としての支持ピストンを介して制御されており、それによって、同様に貫通流動状況の調整ためにも有利な前提となる諸条件が、短絡相において与えられ、この短絡相内において、この制御ピストンが、この制御ピストンの封隙エッジ部でもって、一方の封隙境界から他方の封隙境界に移動することは、合目的である。
【０００８】
蓄圧噴射装置でもって作動する噴射システム内における噴射装置の使用を顧慮して、高圧流入が、封隙エッジ部の片側に位置する環状領域に対して行われ、且つこの高圧側の結合が、噴射ノズルへと、弁チャンバーから分岐し、この弁チャンバーから、同様に支持ピストンを介して制御されている還流も分岐している場合、その際、還流側に管路接続部が、制御ピストンに対しての、この支持ピストンの軸線方向の相対的な位置に依存して、断面積でもって規定され得ることは、特に合目的である。
【０００９】
支持ピストンを形成するために、この支持ピストンが、収容穿孔部に設けられた、円錐形の封隙区域として形成されている封隙面を有していることは、合目的であることは明らかである。
【００１０】
本発明の更なる詳細、および特徴は、従属請求項から与えられる。更に、本発明を、以下で、更なる詳細を有する実施例に基づいて説明する。
【００１１】
図において、符号１でもって噴射装置１が参照符号を付けられており、この噴射装置は、図１により概略的に図示されているように、ノズルニードル３を有する噴射ノズル２を有しており、このノズルニードルが、このノズルニードルの閉鎖位置の方向に向けて、ばね室４内において配置されたばね装置５を介して付勢されており、その際、圧力室６が、このノズルニードル３に対して反対方向で、このばね室４と接続しており、この圧力室内において、圧力負荷の際に、このばね装置５をこのノズルニードル３の閉鎖位置の方向に向けて付勢する押圧ピストン７が設けられている。
【００１２】
更に、噴射装置１は、制御ピストン９を有する制御弁８を備えている。この制御弁８を介して、高圧側および低圧側への接続が制御され、その際、このそのことが蓄圧システムとして、コモンレールシステムの様式で、例えば公知であるように、噴射装置１が高圧側において、図示されていない高圧フュエルチャンバーと結合されている。
【００１３】
制御弁８は、マグネットアクチュエータ１０を介して制御され、その際、この実施例において、力の増強のために、更に、必要な制御力がこのマグネットアクチュエータ１０を介して提供され得ず、及び／または切替え工程が過度に遅鈍に経過する場合に特に使用され得るような、サーボ制御弁１１が、間挿されている。
【００１４】
制御弁８に設けられ、および制御ピストン９を介して制御される供給管路接続部が、符号１２から１４まででもって参照符号を付けられ、且つ、特に図２において具体的に説明されており、その際、この管路接続部１２は、高圧側の流入部として使用され、且つ高圧フュエルチャンバーへの結合を形成している。この接続部１３は、噴射ノズル２への結合状態にあり、その際、所属する管路１５が、図１において図式化されて具体的に説明されているように、圧力チャンバー１６に対して出口を備えており、従って、ノズルニードル３の圧力肩部１７を介して、このノズルニードルは、適当な圧力負荷の際に、開放方向に、特にばね装置５によって付与された閉鎖圧力に抗して、上昇させられる。
【００１５】
管路接続部１４を介して、還流が行われ、その際、所属する還流管路１８が、圧力保持弁１９を介して、図示されていない貯蔵容器に対して出口を備えており、且つ、圧力室６と、針孔状導管２０を介して結合されている。この圧力室６を起点として、その他になお、低圧側へと案内する絞り管路２１が延びており、この絞り管路は、低圧側で、少なくとも圧力室６に至るまで、管路１４への供給に依存する最小圧力を、及び／または組み合わされた絞り弁として所定の最小圧力を保証する。
【００１６】
制御ピストン９は、ピストン軸線２２に対して同心的に、この制御ピストンの端面２３を起点として延びる収容穿孔部２４を有しており、この収容穿孔部内において、支持ピストン２５が軸線方向に摺動可能に案内されており、この支持ピストンが、ハウジングに固定の、この収容穿孔部２４を架橋する支持ビーム２６に対して支持されており、この支持ピストンが、それ自体、サーボ制御弁１１の調節ピストン２８の指状支持体２７によって抱き込まれており、これら支持指状体が、この制御ピストン９の端面２３に対して支持されている。この支持ビーム２６は、制御ピストン９のための収容部を形成している下側のハウジング部分２９と、上側のハウジング部分３０との間の移行部において位置している。これらハウジング部分２９、３０は、平坦面を介して接し合うように隣接して、相対して固定されている。
【００１７】
管路接続部１２に、制御ピストン９内において、直径において減少された環状室３１が設けられており、この環状室は、管路接続部１３に設けられた弁チャンバー３２に対して、制御ピストン９の封隙エッジ部３３を介して画成されており、この封隙エッジ部が、相応するハウジング側の弁座と共に、これら管路接続部１２と１３との間の封隙境界を形成しており、この封隙境界は、制御ピストン９がハウジング上側部分３０の方向に向けて上昇させられた場合に、これら管路接続部１２と１３との間の結合を解放し、且つこのことによって、噴射媒体は管路１５を通して圧力チャンバー１６に供給され、従って、ノズルニードル３が、ばね装置５の力に抗して開放方向へと上昇させられる。
【００１８】
制御ピストン９のストロークに相応して、この制御ピストン９と、収容穿孔部２４内に設けられた支持ピストン２５との間の軸線方向位置ずれが行われ、この支持ピストンは、制御摺動体として形成されており、且つ弁チャンバー３２と還流側の管路接続部１４との間の結合を制御する。この目的で、この支持ピストン２５を介して、収容穿孔部２４内において支持ビーム２６に対して向かい合って位置する状態で画成された、横方向管路３５を介して弁チャンバー３２と結合状態にある、支持チャンバー３４は、還流側の管路接続部１４と遮断制御可能（ａｂｓｔｅｕｅｒｂｅｒ）に結合されており、このために、この制御摺動体としての支持ピストン２５に、この実施例において、円錐形の封隙面３６が設けられており、この封隙面に、横方向管路３５への移行部において、収容穿孔部２４の側から座面３７が適合しており、従って、制御ピストン９内へ、この収容穿孔部２４の座面３７への方向に支持ピストン２５が走入された場合、弁チャンバー３２と管路接続部１４との間の流過結合は遮断されている。この支持チャンバー３４は、この封隙面３６および座面３７によって形成された封隙境界が開放された場合、結合管路３８を介して環状管路３９と結合されており、この環状管路は、支持ピストン２５の周囲に設けられており、且つ軸線方向の重なり合い領域内において、半径方向の管路接続部１４に延びる結合穿孔４０に対して位置している。
【００１９】
制御ピストン９に対する、制御摺動体としての支持ピストン２５のストロークに関連付けられて、上記の開放の際、封隙面３６および座面３７によって形成された封隙区域内における開口断面積４１、および、結合穿孔４０に対する環状管路３９の重なり合い断面積４２は、これら結合穿孔の最大の大きさと同様に、ストロークに依存してその都度に解放される断面積にも関連して互いに変化し、従って、弁チャンバー３２から還流側の接続部１４への結合は、抑制されるだけでなく、絞り度に関連して、ストロークに依存して制御も行われ、それによって、ノズルニードル３の開放および閉鎖特性が、制御弁８の切替えの際に調整され、特にしかもまた、接続部１２と１３との間の結合と同様に接続部１３と１４との間の結合も解放されている場合、このノズルニードル３の開放および閉鎖特性が、切替え段階において調整され、従って、短絡状態が与えられている。
【００２０】
この場合、噴射を開始する際、制御ピストン９が、増大して益々大きくなる流過断面を、封隙エッジ部３３を介して解放し、従って、圧力が管路１５内において迅速に上昇するということが基礎とされるべきである。接続部１４への低圧側の流過結合は、同様にまだ開放されており、圧力保持弁１９および絞り管路２１を介して、しかも、押圧ピストン７が、相応して圧力負荷され、且つ従って、ばね装置５に対して補足的に、ノズルニードル３を、更にこのノズルニードルの閉鎖位置に保持することが保証されている。このことは、同様に、この押圧ピストン７の相応する圧力負荷を有する他の操作状態の場合にも言えることであり、従って同様に、次に述べられる流量制限弁の機能が、まだ動作されてなく、この流量制限弁が、即ちまだ閉鎖するのではなく、むしろ場合によっては、ただ閉鎖位置の前方に設けられた可逆的な中間位置を占める場合にも言えることである。
【００２１】
制御ピストン９の更に別のストロークにおいて、管路接続部１２と１３との間の流過断面積は拡大し、しかも同時に、管路接続部１３と１４との間の結合が、制御摺動体として作用する支持ピストン２５によって、益々遮断制御される。相応して、還流側の圧力は低下し、且つ、押圧ピストン７を介して付与された閉鎖力−圧力割合が減少する。同時に、管路１５内における圧力が上昇するので、ノズルニードル３は浮揚し、且つ噴射が開始する。
【００２２】
この（噴射開始）時点は、適当なストローク位置における、または更にそれを越えて中間ストローク位置における、機能不良によって引き起こされる制御ピストン９の停留（Ｖｅｒｈａｒｒｅｎ）の際に、および、それに由来してそれに続く連続噴射の際に、流過する燃料量が、有利には更に還流部を介して流出する割合をも含めて、許容範囲内で最高の噴射量の、機能に適合する周期的な噴射の際に生じる燃料量よりもより多い燃料量であり、従って、高圧側の流入部において位置する図示されていない流量制限弁が応動し、且つ、この高圧側の流入部が閉鎖するように選択されており、且つ適当な断面積が適合されている。還流部を介して流出する割合の顧慮により、特に微細な制御が可能である。
【００２３】
噴射を終了する場合、図２においてばね４３によって示したように、制御ピストン９はばね付勢され、並びに、サーボ制御弁１１によって接続された圧力によって、再び、この制御ピストンの図に示された出発位置の方向に向けて移動され、この出発位置において、管路接続部１２と１３との間の結合が、封隙エッジ部３３を介して遮断制御される。従って、同様に支持ピストン２５も、制御ピストン９に対して移動され、従って、低圧側で生じる圧力室６内における圧力上昇を介して押圧ピストン７が負荷され、且つ、ばね装置５の力に重畳された状態で、ノズルニードル３を閉鎖方向に付勢し、これに伴い、噴射が遮断制御される。
【００２４】
本発明の場合、異なる大きさの圧力負荷された制御ピストンの面の、および、それから結果として生じる調節力のバランスのために使用される支持ピストン２５が、制御摺動体として利用され、従って、この支持ピストン２５を介して、両方のストローク方向において、即ち開放および閉鎖された状態において、圧力のバランスが達せられるだけでなく、同時に付加的な制御機能も感知され、このことが簡略化された全体構造を誘起する。
【図面の簡単な説明】
【図１】
本発明による噴射装置の基本的な構造を示した、概略的な断面図である。
【図２】
制御弁の制御ピストン領域における、噴射装置の部分図の、その際にこの部分図がＡでもって図１において示されている、著しく概略的な断面図である。
【図３】
図２における部分Ｂの、更なる部分拡大図である。
【国際公開パンフレット】
2004509282.tif 000003
2004509282.tif 000004
2004509282.tif 000005
2004509282.tif 000006
2004509282.tif 000007
2004509282.tif 000008
2004509282.tif 000009
2004509282.tif 000010
2004509282.tif 000011
2004509282.tif 000012
2004509282.tif 000013
2004509282.tif 000014
2004509282.tif 000015
2004509282.tif 000016
2004509282.tif 000017
【手続補正書】
【提出日】平成14年7月3日(2002.7.3)
【手続補正１】
【補正対象書類名】明細書
【補正対象項目名】特許請求の範囲
【補正方法】変更
【補正の内容】
【特許請求の範囲】
【請求項１】
内燃機関の、特に蓄圧噴射装置でもって作動し、且つディーゼル油または重油でもって運転される内燃機関の、噴射装置のための制御弁であって、この制御弁が、
案内穿孔内において、摺動可能な制御ピストンを有し、
この制御ピストンが、封隙エッジ部でもって、２つの管路接続部の間の通過結合を制御し、且つ、この制御ピストン自体で、同軸の収容穿孔部内において位置する、支持ピストンのための案内部を形成し、
この支持ピストンが、一方の側で、ストッパーに対して支持されており、
このストッパーに対してこの制御ピストンが摺動可能であり、
他方の側で、この収容穿孔部内において、通過結合と接続された支持チャンバーを画成する様式の上記制御弁において、
支持ピストン（２５）が、３／２路方向制御弁としての制御弁の機能のために、制御摺動体を形成し、この制御摺動体が、支持チャンバー（３４）と更に別の管路接続部（１４）との間の結合を制御するように構成されていることを特徴とする制御弁。
【請求項２】
支持ピストン（２５）は、ハウジング穿孔内において位置する封隙境界の封隙面（３３）を担持する、制御ピストン（９）の領域に設けられていることを特徴とする請求項１に記載の制御弁。
【請求項３】
支持ピストン（２５）を収容する、制御ピストン（９）の領域は、ハウジング穿孔内において位置する封隙境界に関して向かい合って位置する制御ピストン（９）の案内領域よりもより大きな直径を有しているように構成されていることを特徴とする請求項２に記載の制御弁。
【請求項４】
支持ピストン（２５）を横切って延在する管路案内部（結合管路（３８））が、設けられていることを特徴とする請求項１から３のいずれか一つに記載の制御弁。
【手続補正書】
【提出日】平成14年11月5日(2002.11.5)
【手続補正１】
【補正対象書類名】明細書
【補正対象項目名】請求項１
【補正方法】変更
【補正の内容】
【請求項１】
内燃機関の、特に蓄圧噴射装置でもって作動し、ディーゼル油または重油でもって運転される内燃機関の、噴射システムの噴射装置のための制御弁であって、この内燃機関において、
この噴射装置が、噴射ノズル（２）、およびノズルニードル（３）を有し、
このノズルニードルが、噴射媒体でもって付勢された状態で、閉鎖位置と開放位置との間で位置変化可能であり、
並びに、制御弁（８）を介して開放方向に付勢するために、この噴射システムの高圧側（供給管路接続部（１２））と、および、
閉鎖方向に付勢するために、この高圧側（供給管路接続部（１２））に対しての接続部の遮断の際に、この噴射システムの低圧側（管路接続部（１４））と接続されており、
その際、この制御弁（８）が、３／２路方向制御弁として、
ハウジング穿孔内において案内された、この制御弁の圧力作用面に関連して、バランスされた２つの封隙面（３３；３７）を有する制御ピストン（９）を備えており、
これら封隙面の一方の封隙面（３３）が、直径を拡大された、制御ピストン（９）の肩部に設けられており、
この肩部が、この制御ピストン（９）の環状室（３１）から、このハウジング穿孔の弁チャンバー（３２）への移行部において位置する封隙境界に設けられており、
この封隙境界が、閉鎖状態としての、高圧側（供給管路接続部（１２））との接続により与えられた、開放方向でのノズルニードル（３）の付勢を遮断制御する状態において、制御ピストン（９）の環状室（３１）から弁チャンバー（３２）への結合を遮断し、
および、これら封隙面の他方の封隙面（３７）が、低圧側（管路接続部（１４））に対する弁チャンバー（３２）の結合部内において位置する、低圧側の、封隙面（３６、３７）によって形成された封隙境界に所属しており、
この封隙境界が、閉鎖状態において、同軸に、この制御ピストン（９）内において位置する穿孔部（２４）を介して延びる、低圧側（管路接続部（１４））への結合を遮断制御する様式の上記制御弁において、
制御ピストン（９）が、圧力作用面の均衡によって、支持ピストン（２５）でもって圧力バランスされており、この支持ピストンが、低圧側（管路接続部（１４））への結合部内において位置する制御ピストン（９）の穿孔部（２４）内で、軸線方向に位置固定の支持部において、摺動可能に案内されていること、および、
低圧側の封隙境界が、この支持ピストン（２５）の封隙面（３６）、および、この制御ピストン（９）内において所属する封隙面（３７）によって、形成されていることを特徴とする制御弁。
【国際調査報告】
2004509282.tif 000018
2004509282.tif 000019
2004509282.tif 000020
2004509282.tif 000021